(57)【要約】  本発明は、関連する光記録担体における光学的に読み取り可能な影響を多数の放射源を用いて再生及び／又は記録する光システムに関連する。多数の放射源は、第１放射ビームを放出することが可能な第１放射源、及び少なくとも第２放射ビームを放出することが可能な少なくとも１つの第２放射源を有する。本システムは更に、少なくとも第１ビームを第１メインビーム及び少なくとも第１補助ビームに分割するビーム分割手段を有し、更に本システムは、関連する光記録担体からの反射光を検出可能な光検出手段を有し、本光システムは、関連するキャリアに形成された第１ガードバンドに位置付けられた少なくとも第１補助ビームの反射光によりラジアルトラッキングを実行するように形成され、放射源数はトラック数以下である。
2009505317.tif 000002
【特許請求の範囲】
【請求項１】
関連する光記録担体における光学的に読み取り可能な影響を再生及び／又は記録する光システムであって、
第１放射ビームを放出することが可能な第１放射源、及び少なくとも第２放射ビームを放出することが可能な少なくとも１つの第２放射源を有する多数の放射源と、
ビーム分割手段と、
前記光記録担体からの反射光を検出可能な光検出手段と、
を有し、前記少なくとも１つの第２放射源は、前記光記録担体で読み取り可能な影響として情報を読み取ること、及び／又は前記光記録担体における光学的に読み取り可能な影響として情報を記録することに備えて、少なくとも１つの第２メインビーム及び対応する第２メインスポットを有し、
前記光記録担体で読み取り可能な影響として情報を読み取ること、及び／又は前記光記録担体における光学的に読み取り可能な影響として情報を記録することに備えて、第１メインビーム及び対応する第１メインスポットと、ラジアルトラッキングに適用可能な少なくとも１つの第１補助ビーム及び対応する少なくとも１つの第１補助スポットとに、前記ビーム分割手段は少なくとも１つの前記第１放射ビームを分割し、
前記関連する光記録担体は、１つ以上のスパイラル中のトラックに配置された読み取り可能な影響を有する或いは記録するのに適しており、１つ以上のスパイラルの各々は、１つ以上のガードバンドで分離された多数のトラックを形成し、
当該光システムは、第１ガードバンドに又は該第１ガードバンドに隣接するトラックに位置付けられる前記少なくとも第１補助ビームの前記反射光によりラジアルトラッキングを実行し、
前記放射源の数は、前記トラックの数以下である光システム。
【請求項２】
前記少なくとも第１補助ビームが、前記ビーム分割手段により生成された少なくとも第１の複数の補助ビームで形成される補助ビームである請求項１記載の光システム。
【請求項３】
前記第１放射ビームが、第１メインビーム及び第１の複数の補助ビームに分割され、前記少なくとも第２放射ビームが、少なくとも第２メインビーム及び少なくとも第２の複数の補助ビームに、並びに対応する少なくとも第１の及び少なくとも第２の複数の補助スポットに分割され、前記補助ビームはラジアルトラッキングに適用可能であり、当該光システムは、第１のガードバンドに又は前記第１のガードバンドに隣接するトラックに位置付けられる少なくとも第１補助ビームの反射光により、ラジアルトラッキングを実行するように適合させられ、前記少なくとも第１補助ビームは、前記第１の又は少なくとも第２の複数の補助ビームで形成された補助ビームである請求項１記載の光システム。
【請求項４】
トラック数及び放射源数の比率が整数になる請求項１記載の光システム。
【請求項５】
前記第１メインスポット及び前記第１の複数の補助スポットが、前記光記録担体上でスポットラインに沿って第１分離距離と共に実質的に間隔に配置され、前記少なくとも第２メインスポット及び前記少なくとも第２の複数の補助スポットは前記スポットラインに沿って配置され、前記第１メインスポット及び前記少なくとも第２メインスポットは、前記第１分離距離の整数倍だけ相互に隔てられる請求項３記載の光システム。
【請求項６】
前記第１メインスポット及び前記第１の複数の補助スポットが、前記光記録担体上でスポットラインに沿って第１分離距離と共に実質的に間隔に配置され、前記少なくとも第２メインスポット及び前記少なくとも第２の複数の補助スポットは前記スポットラインに沿って配置され、前記第１メインスポット及び前記少なくとも第２メインスポットは、前記第１分離距離の分数倍だけ相互に隔てられる請求項３記載の光システム。
【請求項７】
前記第２の補助ビームは、前記第１及び少なくとも第２のメインビームのトラック位置を変えるように選択可能であり、当該光システムは、同一の又は別のガードバンドに又は該ガードバンドに隣接するトラックに位置付けられる前記第２補助ビームの反射光により、ラジアルトラッキングを実行するように適合させられ、前記第２の補助ビームは、前記第２の又は少なくとも第２の複数の補助ビームで形成される補助ビームである請求項３記載の光システム。
【請求項８】
前記光検出手段が、前記第１の複数の補助ビームの内の補助ビーム各々に対応する少なくとも１つの光検出器を有する請求項２記載の光システム。
【請求項９】
前記光検出手段が、前記少なくとも１つの光検出器を選択する切替手段を有し、該光検出器は、ラジアルトラッキングで適用する補助ビームに対応するものである請求項８記載の光システム。
【請求項１０】
前記複数の補助ビーム間の半径方向の分離距離が、前記関連する光記録担体のトラックピッチの整数倍に実質的に等しい請求項１記載の光システム。
【請求項１１】
前記補助ビーム数が、前記１つ以上のスパイラル中のトラック数に少なくとも等しい請求項２記載の光システム。
【請求項１２】
前記第１の複数の補助ビームが、前記第１のメインビームに関して実質的に対称的に配置され、前記少なくとも第２の複数の補助ビームが、前記関連する光記録担体における前記少なくとも第２のメインビームに関して実質的に対称的に配置される請求項３記載の光システム。
【請求項１３】
前記第１の複数の補助ビームが、前記第１のメインビームに関して実質的に非対称的に配置され、前記少なくとも第２の複数の補助ビームが、前記関連する光記録担体における前記少なくとも第２の複数の補助ビームに関して実質的に非対称的に配置される請求項３記載の光システム。
【請求項１４】
関連する光記録担体における光学的に読み取り可能な影響を再生及び／又は記録する光システムで使用する方法であって、前記システムは、
第１放射ビームを放出することが可能な第１放射源、及び少なくとも第２放射ビームを放出することが可能な少なくとも１つの第２放射源を有する多数の放射源と、
ビーム分割手段と、
前記光記録担体からの反射光を検出可能な光検出手段と、
を有し、前記少なくとも１つの第２放射源は、前記光記録担体で読み取り可能な影響として情報を読み取ること、及び／又は前記光記録担体における光学的に読み取り可能な影響として情報を記録することに備えて、少なくとも１つの第２メインビーム及び対応する第２メインスポットを有し、
前記光記録担体で読み取り可能な影響として情報を読み取ること、及び／又は前記光記録担体における光学的に読み取り可能な影響として情報を記録することに備えて、第１メインビーム及び対応する第１メインスポットと、ラジアルトラッキングに適用可能な少なくとも１つの第１補助ビーム及び対応する少なくとも１つの第１補助スポットとに、前記ビーム分割手段は少なくとも１つの前記第１放射ビームを分割し、
前記関連する光記録担体は、１つ以上のスパイラル中のトラックに配置された読み取り可能な影響を有する或いは記録するのに適しており、１つ以上のスパイラルの各々は、１つ以上のガードバンドで分離された多数のトラックを形成し、
当該光システムは、第１ガードバンドに又は該第１ガードバンドに隣接するトラックに位置付けられる前記少なくとも第１補助ビームの前記反射光によりラジアルトラッキングを実行し、
前記放射源の数は、前記トラックの数以下である光システムで使用する方法。
【請求項１５】
請求項１４記載の方法を実行するコンピュータハードウエアで実行可能なソフトウエア。
【発明の詳細な説明】
【技術分野】
【０００１】
本発明は、多数の放射源を利用して関連する光記録担体における光学的に読み取り可能な影響を再生及び／又は記録する光システムに関連する。更に本発明は、関連する光記録担体における光学的に読み取り可能な影響を再生及び／又は記録する方法にも関連し、その方法を実行するソフトウエアにも関連する。
【背景技術】
【０００２】
スピードだけでなく情報記憶容量をも増やす益々の要請に応じるため、例えばコンパクトディスク(CD)、ディジタル多用途ディスク(DVD)及びブルーレイディスク(BD)等のような利用可能な光媒体は、記憶容量及び駆動速度の双方の観点から常に改善されている。今のところ、240nmのトラックピッチと50nmのチャネルビット長との組み合わせで達成される密度限界は、BDタイプのディスクの容量が、メディアの情報レイヤ当たり現在の23-25-27GBから50GBに至るほど増える可能性があることを示す。しかしながら、ディスクの技術分における現状では、限られたクロスライト／イレース問題と共に動作速度を増やす際、トラックピッチの更なるダウンサイジングと安定的なラジアルトラッキングの必要性との固有の競合に遭遇する。
【０００３】
最近、２次元的な光ストレージ(TwoDOS)が登場し、これについては例えば非特許文献１に記載されている。TwoDOSフォーマットでは、情報は、担体(キャリア)の広々としたスパイラルに沿って平行な多数のデータ行として書き込まれ、レーザスポットの配列を利用してそのスパイラルから並列にデータが読み取られる。しかしながら、追記型の及び再書込可能なメディアの場合、これは便利なことではない。なぜなら、各レーザスポットは独立に制御される必要があり、複数のレーザ又は複数のキャビティを必要とするからである。これは、関連する光装置を複雑化し、コストを増やすことになる。同様に、そのような光装置の熱の散逸は、レーザ又はレーザキャビティの数に比例して増えてしまう。
【０００４】
従って、光ストレージ用の改善された手段があれば有用であろう。特に、関連する光記録担体における光学的に読み取り可能な影響を再生及び／又は記録する、より効率的な及び／又は信頼性の高い光システムがあれば有用であろう。
【非特許文献１】Alexander  van  der  Lee  et  al.,  Japanese  Journal  of  Applied  Physics,  vol.43,  No7B,  2004,  p.4912-4914
【発明の開示】
【発明が解決しようとする課題】
【０００５】
従って、本発明は好ましくは上記の欠点の１つ以上を１つずつ又はまとめて緩和する、軽減する又は解消するためになされたものである。特に、本発明の課題は上記の従来の問題点を解決する光システムを提供することであり、その問題は、光記録担体における光学的に読み取り可能な影響を信頼性高く再生及び／又は記録することと、高い光駆動速度の下で光記録担体における記録密度を増やすこととの双方を図る問題である。
【課題を解決するための手段】
【０００６】
この課題及び他の課題は、関連する光記録担体における光学的に読み取り可能な影響を再生及び／又は記録する光システムをもたらすことによる本発明の第１形態により達成される。当該システムは、
第１放射ビームを放出することが可能な第１放射源、及び少なくとも第２放射ビームを放出することが可能な少なくとも１つの第２放射源を有する多数の放射源と、
ビーム分割手段と、
前記光記録担体からの反射光を検出可能な光検出手段と、
を有し、前記少なくとも１つの第２放射源は、前記光記録担体で読み取り可能な影響として情報を読み取ること、及び／又は前記光記録担体における光学的に読み取り可能な影響として情報を記録することに備えて、少なくとも１つの第２メインビーム及び対応する第２メインスポットを有し、
前記光記録担体で読み取り可能な影響として情報を読み取ること、及び／又は前記光記録担体における光学的に読み取り可能な影響として情報を記録することに備えて、第１メインビーム及び対応する第１メインスポットと、ラジアルトラッキングに適用可能な少なくとも１つの第１補助ビーム及び対応する少なくとも１つの第１補助スポットとに、前記ビーム分割手段は少なくとも１つの前記第１放射ビームを分割し、
前記関連する光記録担体は、１つ以上のスパイラル中のトラックに配置された読み取り可能な影響を有する或いは記録するのに適しており、１つ以上のスパイラルの各々は、１つ以上のガードバンドで分離された多数のトラックを形成し、
当該光システムは、第１ガードバンドに又は該第１ガードバンドに隣接するトラックに位置付けられる前記少なくとも第１補助ビームの前記反射光によりラジアルトラッキングを実行し、
前記放射源の数は、前記トラックの数以下である光システムである
光システムは、CDプレーヤ、DVDプレーヤ、BDプレーヤ、光コンピュータドライブ等のような装置で使用される光システムである。
【０００７】
第１形態による本発明は、排他的ではないが、小さなトラックピッチ(即ち、トラック幅)のキャリアで高速ドライブ速度で情報を記録／再生することの可能な光システムを促進する点で特に有利である。トラックピッチを下げることは、ラジアルトラッキングを妨げない(なぜなら、ラジアルトラッキングはガードバンドで実行されるからである。)。１つのスパイラルキャリアフォーマットと共に通常使用される１つの光ストレージシステムは、溝でなされるラジアルトラッキングとトラックピッチを最小化する希望との間の競合問題を有し、その競合問題は本発明の光システムによって解決される。更に、本発明は多用途光システムを提供し、記録に使用される多数の放射源が、スパイラル中の多数のトラックと分離される。本発明は、コスト、パワー損失及びスピードの間でトレードオフを可能にする。これは、所与の光キャリアフォーマットで使用するのに適した様々な光システム実現手段が、様々な多数の放射源を利用可能にする点で特に有利である。このように、ディスク容量はドライブ速度と切り離され、即ち、読み取り速度及び／又は記録速度は、フォーマットオプションではなくドライブオプションになる。
【０００８】
キャリア内で読み取り可能な影響として情報を読み取ること及び／又はキャリアにおける影響を読み取り可能な影響として情報を書き込むことのために、本発明は第１及び少なくとも第２メインビーム並びに対応する第１及び少なくとも第２メインスポットを、並びに少なくとも第１補助ビーム及び対応する第１補助スポットを利用し、補助ビームはラジアルトラッキングに適用可能である。しかしながら、１つ以上のメインビームが、所与の形態の中で、少なくとも第１補助ビームに加えて又は代替的にトラッキングするのに使用されてもよい。従って尚更多用途システムが提供されてもよい。
【０００９】
請求項２及び３に記載の選択的な特徴は有利な形態を述べている。なぜならそれらは本発明による光システムを用意するコスト効果的な方法をもたらすからである。少なくとも第１補助ビームは、少なくとも第１の複数の補助ビームで形成されてもよい。或いは、第１の複数の補助ビーム及び少なくとも第２の複数の補助ビームが、ビーム分割手段で生成され、少なくとも第１補助ビームが、第１の又は第２の複数の補助ビームで形成される補助ビームでもよい。従って、所与の形態において、第１放射源は、第１メインビーム及び対応する第１の複数の補助ビームを引き起こし、第２放射源は、第２メインビーム及び対応する第２の複数の補助ビームを引き起こし、より多くの放射源が使用される場合は以下同様に続く。
【００１０】
更に、多数の放射ビーム及び複数の補助スポットがキャリアに向けられている場合でさえ、限られた量のみの補助スポット、一般的には１つ又は２つの補助スポット、及びそれら各自の反射光が、所与の如何なる時点においても、ラジアルトラッキング制御信号の検出及び生成に必要とされる点で本発明は有利である。放射源は互いに関して固定され、従って、少なくとも１つの適切な補助ビームを利用するラジアルトラッキングを実行するだけでよく、その補助ビームは第１又は少なくとも第２の複数の補助ビームで形成されてよい。これは、当該技術分野の既存のマルチスポットトラッキング法と異なり、その既存の方法は、むしろ、反射光ビーム全ての光検出及び以後の分析に備えた強化手段を必要とする。有利なことに、従って本発明は、補助ビームからの反射光の分析に必要な電子回路を制限及び／又は簡略化してもよい。多数の補助ビームがトラッキングに使用される状況では、第１補助ビームがトラッキングに備えて選択されてもよいが、他のビームが後段で(即ち、異なるトラックの選択に関連して)選択されてもよい。新たに選択された補助ビームは、例えば、何らかの生成された補助ビームから選択されてもよいし、或いは、或る補助ビームのグループから選択されてもよい。
【００１１】
請求項４に記載の選択的な特徴は、多数の放射源と、特定のキャリアフォーマットに関するドライブの速度との間の直接的な関連性を与える点で有利である。
【００１２】
請求項５及び６に記載の選択的な特徴は、代替的に有利な形態を記述する。請求項５に記載の選択的な特徴は、より簡潔であってそれ故に安価でよりロバストな構造を促す点で有利である。請求項６に記載の選択的な特徴は、放射源間の相互変調が回避される或いは少なくとも軽減される形態をもたらす点で有利である。
【００１３】
請求項７に記載の選択的な特徴は、それを利用することで第２補助ビームが選択され、第１及び少なくとも第２メインビームのトラック位置を変更すること、及び従って同一の又は別のガードバンド内で位置付けられている第２補助ビームの反射光によりラジアルトラッキングを実行でき、多数の放射源のトラックを変更する簡易且つロバストな方法が用意される点で有利である。
【００１４】
スパイラル中のメインビームのトラック変更は、従って、ラジアルトラッキングに適切な補助ビームを選択することで実現される例になり、例えば、トラック番号１及び２からトラック番号３及び４へのトラック位置の変更は、ラジアルトラッキングを実行するのに使用される補助ビームを第１から第２の補助ビームに変更することで効果を及ぼすことができる。
【００１５】
請求項８に記載の選択的な特徴は、第１の複数の補助ビーム中の各補助ビーム各々に対応する少なくとも１つの光検出器を用意することで、補助ビームを分離する簡易且つロバストな方法が促進される点で有利になる。
【００１６】
請求項９に記載の選択的な特徴は、ラジアルトラッキングに適用する第１又は第２の補助ビームに対応する少なくとも１つの光検出器を選択するスイッチング手段を設け、ラジアルトラッキングに適用する際第１又は第２の補助ビームに対応する関連する光検出器を選択することができる点で有利である。更に、ラジアルトラッキングに適用されない補助ビームからの反射光を検出することに関連付けられている１つ以上の光検出器をスイッチオフにすることができる。対応する電子回路(例えば、増幅及び／又は予備処理の回路)はターンオフされてもよい。これは、動作中のパワー消費を減らす利点を本発明に与え、更に、パワー消費及び／又は冷却の負担が軽減されるのでシステムコストを低減するかもしれない。更に、光検出器の全てが使用中にはならないので、少なくともいくつかの予備処理回路(例えば、プリアンプ)が、異なるスポット／光検出器の間で共有可能である。従って少ない電子回路が使用可能であり、システムコストは更に低減可能である。
【００１７】
請求項１０に記載の選択的な特徴は、補助スポットの位置及びトラックの間を容易に合わせることを促す点で有利である。
【００１８】
請求項１１に記載の選択的な特徴は、１つ以上のスパイラル中のトラック数に少なくとも等しい多数の補助ビームを用意することで、ガードバンドに常に一致する補助ビームが選択される点で有利である。
【００１９】
請求項１２及び１３に記載の選択的な特徴は、別の有利な形態を記述する。複数の補助ビームは、関連する光記録担体におけるメインビームに実質的に対称的に配置されてもよい。更に、複数の補助ビームが、関連する光記録担体で実質的に等間隔に位置するように用意される。これはビーム分割手段としての回折格子によって達成される。しかしながら回折格子は、非対称な回折をもたらしてもよい。最近、回折したスポットで実質的に等しい強度を伴う回折格子が登場している。そのような回折格子が、有用なことに、本発明に関連して適用されてもよい。
【００２０】
第２形態では、本発明は本発明の第１形態による光システムを動作させる方法に関連し、使用の際、第１ガードバンドに又は第１ガードバンドに隣接するトラックに位置付けられた少なくとも第１補助ビームの反射光によって、トラッキングが実行され、放射源数はトラック数以下である。
【００２１】
第３形態では、本発明は本発明の第２形態の方法を実行するコンピュータハードウエアで実行されるソフトウエアに関連する。
【００２２】
本発明のこの形態は、排他的ではないが、或る場合(本発明の第２形態の動作をコンピュータシステムに実行させるコンピュータプログラム(プロダクト)で本発明が実現される場合)に特に有利である。従って、光システムを制御するコンピュータハードウエアにコンピュータプログラムをインストールすることで、何らかの既知の光システムが本発明に従って動作するように変えられてよいことも想定されている。そのようなソフトウエアは、如何なる種類のコンピュータ読み取り可能な媒体(例えば、磁気的な又は光学的な媒体)で又はコンピュータベースのネットワーク(例えば、インターネット)を介して用意されてもよい。
【００２３】
本発明の第１、第２及び第３形態はそれぞれ他のどの形態と結合されてもよい。本発明のこれら及び他の形態は、以後説明される形態を参照しながら明確になり且つ改名されるであろう。
【発明を実施するための最良の形態】
【００２４】
以下、本発明の実施例が単なる例示として添付図面と共に説明される。
【００２５】
図１には、一実施例による光システム及び関連するキャリア100が概略的に示されている。キャリア100は保持手段30により固定され及び回転させられる。光システムは、複数の放射源を有し、図１は第１の放射源４Ａ及び第２の放射源４Ｂを示している。２より多くの放射源があってもよいが、図示の簡明化のため２つしか示されていない。更に、簡明化を図るため、１つの放射ビーム52しか示されていないが、光システム内にある各放射源が放射ビームを放出可能であることが理解されるべきである。放射源４Ａ，４Ｂは例えば可変パワーの半導体レーザでもよく、場合によっては放射する波長が可変でもよい。
【００２６】
キャリア100は、放射ビーム52を使って情報を記録するのに相応しい材料で形成される。その記録材料は、例えば、磁気−光学タイプの、位相可変タイプの、ダイタイプ(dye  type)の合金(Cu/Si等)でもよいし、或いは他の適切な如何なる材料でもよい。情報はキャリア100上の光学的に検出可能な領域に記録され、その領域は、再書込可能なメディアの場合マークと呼ばれ、追記型のメディアの場合ピット(pits)と呼ばれる。
【００２７】
光システムは光ヘッド20を更に有し、これはしばしば光ピックアップ(OPU)と呼ばれ、  光ヘッドは、駆動手段21(例えば、電気的なステッピングモータ)から取り外し可能である。光ヘッド20は、光検出システム101、ビームスプリッタ6、対物レンズ7及びレンズ位置変更手段9を有する。光ヘッド20は回折格子又はホログラフィックパターンのようなビーム分割手段22を有し、１つ以上の放射ビームを、１つ以上のメインビームと、多数の関連する補助ビームとに分割することができる。ここでは、３つの成分52、52a及び52bが示されており、即ち、高密度メインビーム52と、２つの低密度補助ビーム52a,52bとが示されている。反射した放射光8も１つ以上の成分を有し、３つのスポット52,52a,52bの反射及びそれらの回折が存在するが、簡明化のため1つのビーム8しか示されていない。本発明での放射源は、情報の光学的な格納に適した放射を行うことの可能な適切な如何なる種類の放射源を含んでよいことが理解されるべきであり、放射光は、例えば、赤外線光(IR)、可視光、紫外光(UV)、X線等でもよい。
【００２８】
本発明の他の実施例では、放射源4A,4Bの各々及びビーム分割手段22が複数の放射源で置き換わってよいことも想定されている。その放射源の１つは、メインビームを提供し、他の光源は補助ビームを提供する。或いは、複数の光源と１つ以上の光分割手段(例えば、回折格子)との組み合わせが、本発明の原理に沿って適用されてもよい。
【００２９】
光検出手段は、光検出システム(フォトディテクトシステム)でもよい。光検出システム101の機能は、キャリア100からの反射光8を電気的な信号に変換することである。従って、光検出システム101はいくつかの光検出器(フォトディテクタ)−例えば、フォトダイオード、電荷結合素子(CCD)等−を含み、光検出器は予備プロセッサ11に伝送される1つ以上の電気的な出力信号を生成可能なものである。光検出器は十分な時間分解能と共に空間的に次々に並んで配置され、予備プロセッサ11でフォーカスの検出(FE)及びラジアルトラッキングエラー(RTE)の検出を可能にする。従って予備プロセッサ11はフォーカス(FE)及びラジアルトラッキングエラー(RTE)信号をプロセッサ50に送る。光検出システム101は、キャリア100から読み取った情報を表す読み取り信号又はRF信号を、予備プロセッサ11を介してプロセッサ50に伝達する。読み取り信号は、おそらくは、プロセッサ50のRF信号のローパスフィルタリングにより、セントラルアパーチャ(CA)信号に変換される。
【００３０】
放射ビーム52がビームスプリッタ6及び対物レンズ7を介して光キャリア100に向くように、光ヘッド20は光学的に配置される。更に、コリメータレンズ(図示せず)が対物レンズ7の前にあってもよい。キャリア100から反射した放射光8は、対物レンズ7によって集められ、ビームスプリッタ6を通過した後で、光検出システム101に至り、光検出システムは入射した放射光8を電気的な出力信号に上述したように変換する。
【００３１】
プロセッサ50は予備プロセッサ11からの出力信号を受信して分析する。駆動手段21、放射源4、レンズ位置調整手段9、予備プロセッサ11及び保持手段30に対して、プロセッサ50は制御信号を図１に示されるように出力する。同様に、プロセッサ50は61で示されるデータを受信し、及びプロセッサ50は読み取りプロセスによるデータを60で示されているように出力する。
【００３２】
図２は、２つの放射源が１つの分割手段に向けられ、結果的に生じる２つのメインビーム及び複数の補助ビーム２組を概略的に示す図である。２つの放射源は第１及び第２の放射ビーム200,201を放射する。回折格子のようなビーム分割手段202は、第１及び第２の放射ビームを、第１，第２のメインビーム204,206と、対応する第１，第２のメインスポットと、第１の複数の補助ビーム203及び第２の複数の補助ビーム205と、対応する第１及び少なくとも第２の複数の補助スポットとに分ける。代替実施例では、ビーム分割手段に向けられた唯１つの第１メインビームがあり、少なくとも第１の補助ビームが生成されるようにしてもよいし、或いは第１の複数の補助ビームが生成されるようにしてもよい。
【００３３】
図３は、本発明と共に使用するのに相応しい光検出手段101の一例を概略的に示す。多数の光検出器のセクションが示されているが、第１の複数の補助ビームの各補助ビームについて１つの光検出器セクションがあってもよいし、或いは更に多くの光検出器セクションがあってもよい。光検出器セクション110,120,130の各々には、関連するスポットA,B,Cがそれぞれ示されている。スポットA,B,Cの相対的な大きさで表現されているように、スポットAはメインスポットから発している反射光を示し、スポットB,Cは２つの補助スポットからの反射光を示す。図３に示される例では、光検出器セクション110,120,130の各々は、2つの光検出器a,bに分かれている。これは、プッシュプル(PP:  Push-Pull)法でトラッキングを実行する通常の光学的コンフィギュレーションであり、２つの検出器a,bに相対的な重み付けがなされ、意図される半径方向の位置と実際の位置との間の誤差又は逸脱を示すラジアルエラー信号を生成する。本発明を適用すると、光検出器セクション120から予備プロセッサ11及びプロセッサ50へ関連する信号を別途送信することで、用意されたスイッチ又はセレクタ140が、ラジアルトラッキングについて図３のスポットBで適切な補助スポットを選択できるようにする。スイッチ140は、好ましくは、(例えば、適切なトランジスタ回路、MEMS素子等を使用する)電気的なスイッチである。
【００３４】
しかしながら、セクションが４つの光検出素子で構成されていた場合、光検出器セクション110,120,130は差動位相検出(DPD:  Differential  Phase  Detection)を適用してもよい。但し、この例はデータがガードバンド内で提供される必要のあることに留意を要する。同様に、光検出器セクション110,120,130は、差動セントラルアパーチャ(DCA)法により、ラジアルトラッキングに備えて１つの光検出器で構成されてもよい。後者の場合、本発明によりラジアルトラッキングについて、第１の補助スポット対を選択し、別の第２の補助スポット対を選択することで、本発明が実現されてもよい。
【００３５】
ラジアルトラッキングは、ガードバンド内に位置する１つの補助ビームを利用することで実行されてもよい。PP又はDPDトラッキングエラー信号が使用されている場合、１つの補助ビームが、複数のトラックスパイラル内の以後の特定のトラックに使用されてもよい。差動CAトラッキングエラー信号が使用される場合、２つの補助ビームが必要とされ、その２つの補助ビームはガードバンドに隣接する外側のトラックに用意される。
【００３６】
マルチトラックスパイラルの中でどのトラックにも従うには、有用なことに、複数の補助ビームが使用されてよく、適切な補助ビーム又は適切な一群の補助ビームが、例えば所与のトラックを選択する際に選択可能である。補助ビーム数は、PP又はDPDトラッキングの場合、マルチトラックスパイラルの中の少なくともトラック数でよいが、CAトラッキングの場合、少なくともそのトラック数の２倍の量が必要になる。
【００３７】
図４は、本発明による光システムで適用されるのに適した光キャリアフォーマットの内の特定のフォーマットを示す。しかしながら、本発明の原理が図示のフォーマットに限定されないことは強調されるべきである。
【００３８】
図４Ａは、本発明による光システムでの動作に特に適したキャリアフォーマットの概略図を示す。キャリアの中心位置３に関して実質的に同心状に且つ実質的に螺旋状に、複数のトラック２が配置されている。実質的に溝(図示せず)の中に設けられる光学的に読み取り可能な影響を記録及び／又は再生するのに、各トラック２は適している。複数のトラック各々は、メタトラック又はブロードキャストスパイラルトラックとして、或いは単にブロードトラックとして言及されてよい。
【００３９】
複数のトラック２は、光記録キャリアのブロードキャストスパイラルトラック１の中で隣接して配置され、図４Ａでのトラック数は８である。ブロードキャストスパイラルトラック１におけるトラック２の数は、ある事実に起因する記憶容量の減少と半径方向のサーボシステムの複雑さとの妥協によって決定され、その事実とは、ガードバンド５はデータを一切含まないこと或いはガードバンド５のデータ密度はブロードスパイラルの溝の中よりも低いことである。ブロードスパイラルのトラック数は、例えば2,3,4,5,6,7,8,9,10,11,12,13,14,15,16,17,18,19又は20である。ブロードスパイラルトラック１の巻線間のトラッキング領域５は、光キャリア100からのラジアルトラッキングエラー信号を提供するように適合させられる。
【００４０】
図４Ｂは、本発明による光システムでの動作に特に適した別のキャリアフォーマットの概略図を示す。キャリアの中心位置13に関して実質的に同心状に且つ実質的に螺旋状に、複数のトラック12が配置されている。実質的に溝(図示せず)の中に設けられる光学的に読み取り可能な影響を記録及び／又は再生するのに、各トラック12は適している。複数のスパイラル10は、タマネギの構造に似た各層(各レイヤ)に１つにスパイラルを伴いながら、光記録キャリア上で同心状の連続的なレイヤ12内に配置される。図４Ｂは連続的な３つのスパイラル12しか示していないが、実際のキャリアの場合、スパイラル数又は「タマネギの殻」は２乃至1.000.000の範囲内で可変であってもよい。
【００４１】
ほぼゼロのプッシュプル信号、即ち概してトラッキングに適していないラジアルトラッキングエラー信号は、ブロードスパイラルトラック１のトラックの中で又は連続的なスパイラル12の中で得られるであろう。しかしながら、ガードバンドでは、溝での大きなトラッキングスペースに起因して、溝の構造はかなり低い周波数成分を有し、補助スポットからのプッシュプルトラッキング信号は強く、(例えば、ガードバンド5,15の中央近辺の「Ｓカーブ」のような)明確なラジアルトラッキングエラー信号を与えることになる。その結果、得られたラジアルトラッキングエラー信号から、補助スポットはガードバンド5,15の中央を信頼性高く追跡できる。
【００４２】
ブルーレイ光学系の場合、160-200nmに至るほど小さいガードバンド幅でも許容可能である。スパイラル内のトラックピッチは、ラジアルトラッキングシステムの関心事として恣意的に選択可能である。再書込可能な追記型システムの場合、トラック間の相互書き込み／相互消去の問題を防ぐ程度に充分に大きくトラックピッチは選択されるべきである一方、読み取り専用システムの場合、トラックピッチは、ディスクの効率的な習得を促すように十分大きく選択されるべきである。
【００４３】
デューティサイクルは、溝幅及びランド幅間の比率であり(具体的な定義に依存して、逆の値でもよい)、50%のデューティサイクルの状況では、ガードバンド幅はトラックピッチの1.5倍に実質的に等しくてよい。光システム及びキャリアフォーマット1,10が、ガードバンド、トラックピッチ及びスポット52,52a,52bの半径方向の隔たりに対して共に適合するような対称的なコンフィギュレーションは、本発明に関して特に優れた利点をもたらす。
【００４４】
図５は、スポットライン501に沿って実質的に等距離に１つのメインスポット500及び一群の複数の補助スポットが配置されている状況を示す図である。メインビームの両側で補助ビームは一定の距離だけ隔てられている。図５Ａの例は、メインスポットは、ここでは８つの補助スポットである複数の補助スポットに関して対称的に配置されている。
【００４５】
図５Ｂは図５Ａの状況を或るトラックセクションに重ね合わされたスポットと共に示している。名スポット500は特定のブロードスパイラル502のトラック#1に設けられているが、図５Ｃは、ブロードスパイラル502のトラック#4に設けられたメインスポット500と共に図５Ａの状況を示している。何れの状況でも、同じガードバンド505内にある第１  補助スポット503(図５Ｂ)及び第２補助スポット504(図５Ｃ)を用いてトラッキングが実行される。
【００４６】
図５−９は、メインビームの各々についてビーム分割手段により複数の補助ビームが生成される例を示す。しかしながら本発明はこれらの例に限定されないことが理解されるべきである。なぜなら、第１ガードバンド中に位置している少なくとも第１補助ビームの反射光から(即ち、唯１つの補助ビームからでもよい)ラジアルトラッキングを実行するように、光システムは一般的に適合されてよいからである。
【００４７】
図５では、唯１つの放射源及び(１つのスポットラインに沿って位置している)関連する複数の補助スポットが示されている。本発明は多数の放射源を使用し、図５の状況よりも読み取り及び／又は書き込み速度を増やそうとする。
【００４８】
トラック毎に１つの放射源を用意すると、読み取り及び／又は書き込み速度は明らかに向上するが、そのような解決手段は、高コスト性やパワー消費及び熱に関する問題に起因して、商業的理由及び実現性双方の観点からシステムを柔軟的でないようにしてしまう。
【００４９】
本発明は折衷案的なソリューションを取り扱い、その方法では、書き込みに使用される多数の放射源は、メタスパイラル中の多数のトラックから分離される。このソリューションは、コスト、パワー損失及びスピード間でトレードオフを可能にする。
【００５０】
フォーマット効率を向上させるため、比較的多数のトラック(6,8,9又は12個)と共にメタスパイラルが使用されてよいが、読み込み及び書き込みは少数のレーザ(2,3又は4つ)を利用して実行される。メタスパイラルディスクフォーマットを利用することで、別のドライブ実現手段が異なる数のレーザの利用を可能にする。少数のレーザが使用される場合、メタスパイラル全てにアクセスするために、多数のパスが必要とされる。12トラックを伴うメタスパイラルの場合、4レーザ構成ならば3つのパスが必要とされ、3レーザ構成ならば4つのパスが必要とされ、２レーザ構成ならば６つのパスが必要とされる。
【００５１】
本発明の光システムは、読み取り及び／又は記録に使用される独立に変調される多数の高密度のメインスポットと、ラジアルトラッキングに使用される多数の補助スポットとを使用する。
【００５２】
補助スポットを生成するのに回折格子が使用される例の場合、その回折格子は、実際のレーザ源の光学面の中でレーザ源のイメージ又は補助ビームを生成し、これらレーザ源の虚像に起因してディスク面に、より多くの光スポットが形成される。実際の高密度レーザ源に加えて、可変スポット強度機能を有する回折格子の場合、多数の低密度レーザ源のイメージが回折格子によって生成される。
【００５３】
イマジナリレーザ源の１つが位置する場所に実際の追加的なレーザ源を用意することで、即ち、第1メインスポットに対する補助スポットの位置に第２メインスポットを置くことで、２つの独立に変調される高密度スポット及び多数の低密度サテライトスポットを伴うマルチスポットコンフィギュレーションが、図５−７に示されるように実現される(図中、高密度スポットは、低密度スポットより大きくなるように視覚化されている。)。
【００５４】
図６は、２つの高密度スポット600,601と多数の低密度スポット603を伴う対称的なコンフィギュレーションを示す。第１メインスポット600がトラック#4に設けられ、第2メインスポット601がトラック#5に設けられている状況を図６Ａは示している。メインスポットのラジアルトラッキングは、604で記されている補助スポットを追跡(トラッキング)することで実行され、補助スポットがガードバンドに続くようにする。この状況は図６Ｂに示される状況に対応する。
【００５５】
図６Ｂ−６Ｄは、スポットをトラックコンフィギュレーションに重ねていない状況を示す。これら３つの状況では、２つの放射源が使用されている。第１のメインスポット600及びだい１の複数の補助スポットは、キャリアのスポットラインに沿って第１の分離距離602と共に実質的に等距離に配置されている。第２メインスポット及び少なくとも第２の複数の補助スポットもそのスポットラインに沿って配置され、第１メインスポット及び第２メインスポットは第１分離間隔602の整数倍だけ互いに離れて配置されるようにし、第1及び第２メインスポットは、図６Ｂでは隣に隣接するように、図６Ｃでは隣の隣に隣接するように、そして図６Ｄでは隣の隣の隣に隣接するように配置される。メインスポットが隣接するように配置されるコンフィギュレーションは、ブロードスパイラル中の連続するトランクのグループが続くような簡易な方法をもたらし、例えば、第１パスではトラック＃１，＃２が続き、第２パスではトラック＃３，＃４が続く。メインスポットが隣の隣に隣接して又はそれ以上離れて隣接して配置される場合、第１パスではトラック＃１，＃３が続き、第２パスではトラック＃２，＃４が続き、以下同様である。これは、メインスポット間の熱的なクロストーク等を回避する又は削減する観点から有利である(特に、これは書き込みの最中に重要になるかもしれない。)。
【００５６】
図７Ａ−７Ｄは、メインスポットが各自の補助スポットと共に非対称に配置されている点を除いて図６と同様なスポット配置例を示す。図７Ａは、唯１つのメインスポットが補助スポットと共に非対称に配置されている様子を示すが、図７Ｂ−７Ｄは２つのメインスポットが使用されている図６Ｂ−６Ｄと同様な状況を示す。
【００５７】
図８は、３つのメインビーム800-802を引き起こす３つの放射源を使用する状況を示す。図８Ａは、各メインスポットが複数の補助ビーム各々に関して対称的に用意されている状況を示し、図８Ｂは、各メインスポットが複数の補助ビーム各々に関して非対称的に用意されている状況を示す。
【００５８】
上記の手法では単独のレーザ源ではないが、それら全てが高密度強度スポットのエネルギに寄与する。しかしながら、回折格子はサテライトスポットを強力に減衰させるので、レーザの内の1つの寄与は他のものより大幅に大きい。更に、様々なレーザ間での小さな相互変調に留意を要する。
【００５９】
実際の基準レーザ源と回折格子により生成される虚のレーザ源との間の距離の一部に、追加的なレーザ源が設けられるならば、上記のレーザ間相互変調(クロスモジュレーション)の問題は解消可能である又は少なくとも軽減可能である。図６乃至８は２つ及び３つのレーザソースを備えたコンフィギュレーションを示す。２つのレーザの場合、実の及び虚の基準レーザソースの間に正確に(或いは、２つの隣接する虚のソースの間に)追加的なレーザが配置されるべきである。３つのレーザの場合、ソース間の距離は３つの等しい距離に分割される部でき或る。提案される方法は、書き込みの場合に独立に変調された高密度スポットを生成し、ラジアルトラッキングの場合に多数の弱いサテライトスポットを生成する。図９は、使用されるメインスポットを、分離距離904,921の分数倍だけ互いに離すことで、相互変調が回避されるようにしたコンフィギュレーションを示す。図９Ａは、2つのメインスポット900,901が使用されるコンフィギュレーションを示す。第1メインスポット900及び対応する補助スポット902のどれも、第２スポット901及び対応する補助スポット903とオーバーラップしない。図９Ｂは、3つのメインスポット910,920,930及び対応する補助スポット911,921,931が使用されているコンフィギュレーションを示す。再び、メイン及び／又は補助スポットのどれもが互いにオーバーラップしていない。
【００６０】
使用の際には、特定のガードバンド上の第１の補助スポットを見出すことで、所望のスパイラルが選択可能である。その第１の補助スポットは如何なる補助スポットでもよく、例えば、ブロードスパイラルの第１トラックに第１放射源を置くためのものでもよい。スパイラル中の所望のトラックは、同一の又は他のガードバンドで第２の補助スポットを見出すことで以後選択可能であり、その第２補助スポットは、例えば所望のトラックで第１放射源を設定するためのような適切な如何なるスポットでもよい。ガードバンド、補助スポット及びトラック間の対応関係は、キャリアの特定のフォーマットに及び／又は光システムのコンフィギュレーションに依存する。この対応関係は、前もって既知であり、光システムのオペレーションシステムに組み入れられる。
【００６１】
以上、本発明は特定の実施例に関連して説明されてきたが、ここで説明された具体的形式に限定されることは意図されていない。特許請求の範囲において、「有する(comprising)」なる用語は、他の要素又はステップの存在を排除するものではない。更に、個々の請求項の中で個々の特徴が包含されているかもしれないが、それらは有利に組み合わせられるかもしれないし、異なる請求項に含まれていることのみをもって、特徴の組み合わせが不可能である及び／又は有利でないことを意味するわけではない。更に、単独的な言及が複数を排除するわけではない。従って、「ある」、「或る」、「第１の」、「第２の」等は、複数存在することを排除するわけではない。更に、(存在するならば)請求項中の参照符号は、本発明の範囲を限定するように解釈されてはならない。
【図面の簡単な説明】
【００６２】
【図１】光システム及び関連するキャリアの例を概略的に示す図である。
【図２】２つの放射源、光分割手段並びに結果的に生じるメインビーム及び補助ビームを概略的に示す図である。
【図３】光検出手段の概略図を示す。
【図４】本発明による光システムでの動作に特に適したキャリアフォーマットを概略的に示す図である。
【図５】スポットラインに沿って実質的に等距離に１つのメインスポットが配置されている状況を示す図である。
【図６】２つの高密度スポットと多数の低密度スポットを伴う対称的なコンフィギュレーションを示す図である。
【図７】２つの高密度スポットと多数の低密度スポットを伴う非対称なコンフィギュレーションを示す図である。
【図８】３つの高密度スポットと多数の低密度スポットを伴う対称的なコンフィギュレーションを示す図である。
【図９】相互変調を回避するコンフィギュレーションを示す図である。
【図１】
2009505317.tif 000003
【図２】
2009505317.tif 000004
【図３】
2009505317.tif 000005
【図４Ａ】
2009505317.tif 000006
【図４Ｂ】
2009505317.tif 000007
【図５Ａ】
2009505317.tif 000008
【図５Ｂ】
2009505317.tif 000009
【図５Ｃ】
2009505317.tif 000010
【図６Ａ】
2009505317.tif 000011
【図６Ｂ】
2009505317.tif 000012
【図６Ｃ】
2009505317.tif 000013
【図６Ｄ】
2009505317.tif 000014
【図７Ａ】
2009505317.tif 000015
【図７Ｂ】
2009505317.tif 000016
【図７Ｃ】
2009505317.tif 000017
【図７Ｄ】
2009505317.tif 000018
【図８Ａ】
2009505317.tif 000019
【図８Ｂ】
2009505317.tif 000020
【図９Ａ】
2009505317.tif 000021
【図９Ｂ】
2009505317.tif 000022
【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
関連する光記録担体における光学的に読み取り可能な影響を再生及び／又は記録する光システムであって、
第１放射ビームを放出することが可能な第１放射源、及び少なくとも第２放射ビームを放出することが可能な少なくとも１つの第２放射源を有する多数の放射源と、
ビーム分割手段と、
前記光記録担体からの反射光を検出可能な光検出手段と、
を有し、前記光記録担体で読み取り可能な影響として情報を読み取ること、及び／又は前記光記録担体における光学的に読み取り可能な影響として情報を記録することに備えて、第１メインビーム及び対応する第１メインスポットと、第１の複数の補助ビーム及び対応する第１の複数の補助スポットとに、前記ビーム分割手段は前記第１放射ビームを分割し、
前記光記録担体で読み取り可能な影響として情報を読み取ること及び／又は前記光記録担体で読み取り可能な影響として情報を記録することに備えて、少なくとも第２のメインビーム及び対応する第２のメインスポットと、少なくとも第２の複数の補助ビーム及び対応する少なくとも第２の複数の補助スポットとに、前記少なくとも第２の放射ビームを分割し、
前記関連する光記録担体は、１つ以上のスパイラル中のトラックに配置された読み取り可能な影響を有する或いは記録するのに適しており、１つ以上のスパイラルの各々は、１つ以上のガードバンドで分離された多数のトラックを形成し、
当該光システムは、第１ガードバンドに又は該第１ガードバンドに隣接するトラックに位置付けられる前記少なくとも第１補助ビームの前記反射光によりラジアルトラッキングを実行し、前記少なくとも第１補助ビームは、前記第１の又は少なくとも第２の複数の補助ビームで形成される補助ビームであり、第２補助ビームは、前記第１及び少なくとも第２メインビームのトラック位置を変更するために選択可能であり、前記第２補助ビームは、前記第１の又は少なくとも第２の複数の補助ビームで形成される補助ビームであり、当該光システムは、同一の又は異なるガードバンドに又は該ガードバンドに隣接するトラックに位置付けられる前記第２補助ビームの反射光によりラジアルトラッキングを実行し、
前記放射源の数は、前記トラックの数以下である光システム。
【請求項２】
トラック数及び放射源数の比率が整数になる請求項１記載の光システム。
【請求項３】
前記第１メインスポット及び前記第１の複数の補助スポットが、前記光記録担体上でスポットラインに沿って第１分離距離と共に実質的に間隔に配置され、前記少なくとも第２メインスポット及び前記少なくとも第２の複数の補助スポットは前記スポットラインに沿って配置され、前記第１メインスポット及び前記少なくとも第２メインスポットは、前記第１分離距離の整数倍だけ相互に隔てられる請求項１記載の光システム。
【請求項４】
前記第１メインスポット及び前記第１の複数の補助スポットが、前記光記録担体上でスポットラインに沿って第１分離距離と共に実質的に間隔に配置され、前記少なくとも第２メインスポット及び前記少なくとも第２の複数の補助スポットは前記スポットラインに沿って配置され、前記第１メインスポット及び前記少なくとも第２メインスポットは、前記第１分離距離の分数倍だけ相互に隔てられる請求項１記載の光システム。
【請求項５】
前記光検出手段が、前記第１の複数の補助ビームの内の補助ビーム各々に対応する少なくとも１つの光検出器を有する請求項１記載の光システム。
【請求項６】
前記光検出手段が、前記少なくとも１つの光検出器を選択する切替手段を有し、該光検出器は、ラジアルトラッキングで適用する補助ビームに対応するものである請求項５記載の光システム。
【請求項７】
前記複数の補助ビーム間の半径方向の分離距離が、前記関連する光記録担体のトラックピッチの整数倍に実質的に等しい請求項１記載の光システム。
【請求項８】
前記補助ビーム数が、前記１つ以上のスパイラル中のトラック数に少なくとも等しい請求項１記載の光システム。
【請求項９】
前記第１の複数の補助ビームが、前記第１のメインビームに関して実質的に対称的に配置され、前記少なくとも第２の複数の補助ビームが、前記関連する光記録担体における前記少なくとも第２のメインビームに関して実質的に対称的に配置される請求項１記載の光システム。
【請求項１０】
前記第１の複数の補助ビームが、前記第１のメインビームに関して実質的に非対称的に配置され、前記少なくとも第２の複数の補助ビームが、前記関連する光記録担体における前記少なくとも第２の複数の補助ビームに関して実質的に非対称的に配置される請求項３記載の光システム。
【請求項１１】
関連する光記録担体における光学的に読み取り可能な影響を再生及び／又は記録する光システムで使用する方法であって、前記システムは、
第１放射ビームを放出することが可能な第１放射源、及び少なくとも第２放射ビームを放出することが可能な少なくとも１つの第２放射源を有する多数の放射源と、
ビーム分割手段と、
前記光記録担体からの反射光を検出可能な光検出手段と、
を有し、前記光記録担体で読み取り可能な影響として情報を読み取ること、及び／又は前記光記録担体における光学的に読み取り可能な影響として情報を記録することに備えて、第１メインビーム及び対応する第１メインスポットと、第１の複数の補助ビーム及び対応する第１の複数の補助スポットとに、前記ビーム分割手段は前記第１放射ビームを分割し、
前記光記録担体で読み取り可能な影響として情報を読み取ること及び／又は前記光記録担体で読み取り可能な影響として情報を記録することに備えて、少なくとも第２のメインビーム及び対応する第２のメインスポットと、少なくとも第２の複数の補助ビーム及び対応する少なくとも第２の複数の補助スポットとに、前記少なくとも第２の放射ビームを分割し、
前記関連する光記録担体は、１つ以上のスパイラル中のトラックに配置された読み取り可能な影響を有する或いは記録するのに適しており、１つ以上のスパイラルの各々は、１つ以上のガードバンドで分離された多数のトラックを形成し、
当該光システムは、第１ガードバンドに又は該第１ガードバンドに隣接するトラックに位置付けられる前記少なくとも第１補助ビームの前記反射光によりラジアルトラッキングを実行し、前記少なくとも第１補助ビームは、前記第１の又は少なくとも第２の複数の補助ビームで形成される補助ビームであり、第２補助ビームは、前記第１及び少なくとも第２メインビームのトラック位置を変更するために選択可能であり、前記第２補助ビームは、前記第１の又は少なくとも第２の複数の補助ビームで形成される補助ビームであり、当該光システムは、同一の又は異なるガードバンドに又は該ガードバンドに隣接するトラックに位置付けられる前記第２補助ビームの反射光によりラジアルトラッキングを実行し、
前記放射源の数は、前記トラックの数以下である光システムで使用する方法。
【請求項１２】
請求項１１記載の方法を実行するコンピュータハードウエアで実行可能なソフトウエア。
【国際調査報告】
2009505317.tif 000023
2009505317.tif 000024